(57)【要約】  ショックアブソーバ（１００）用の逆止弁組立体（１，１´）はハウジング（１０）を備える。ハウジング（１０）は、圧力Ｐ１が存在する第１の容積部（１１）と、圧力Ｐ２が存在する第２の容積部（１２）と、第１のハウジング部（ＶＥ１）と、第２のハウジング部（ＶＥ２）とを備えている。ハウジング（１０）は、第１の容積部（１１）および第２の容積部（１２）との間の流体通路（２０）と、スプール（４０）とをさらに有し、スプール（４０）は、第１の容積部（１１）と第２の容積部（１２）との間の流体通路（２０）を通る流体の流れが許容される少なくとも第１の位置と、第１の容積部（１１）と第２の容積部（１２）との間の流体通路（２０）を通る流体の流れが阻止される少なくとも第２の位置との間でハウジング（１０）内に移動可能に配置されている。スプール（４０）は、弁ハウジング（１０）の第１の部分（ＶＥ１）と係合するよう適合されて第１の係合領域（ＲＥ１）を形成する第１の部分（Ｓ１）と、弁ハウジング（１０）の第２の部分（ＶＥ２）と係合するよう適合されて第２の係合領域（ＲＥ２）を形成する第２の部分（Ｓ２）とを有する。さらに、第１の係合領域（ＲＥ１）は第１の位置に配置され、前記第２の領域（ＲＥ２）は第２の位置に配置される。また、ショックアブソーバ（１００）は、作動流体を受けるように構成された作動シリンダ（Ｃ）と、シリンダ（Ｃ）を第１の作動チャンバ（ＷＣ１）と第２の作動チャンバ（ＷＣ２）に分割するピストンと、上記の逆止弁組立体（１，１´）と、を備える。さらに、フロントフォークはこのような逆止弁組立体（１，１´）を備える。
2019510942.tif 000002
【特許請求の範囲】
【請求項１】
ショックアブソーバ（１００）用の逆止弁組立体（１，１´）であって、
ハウジング（１０）であって、
圧力Ｐ１が存在する第１の容積部（１１）と、
圧力Ｐ２が存在する第２の容積部（１２）と、
第１のハウジング部（ＶＥ１）と、
第２のハウジング部（ＶＥ２）と、を備えるハウジングと、
前記第１の容積部（１１）と前記第２の容積部（１２）との間の流体通路（２０）、および
スプール（４０）を有し、前記スプール（４０）は、前記第１の容積部（１１）と前記第２の容積部（１２）との間の前記流体通路（２０）を通る流体の流れが許容される少なくとも第１の位置と、前記第１の容積部（１１）と前記第２の容積部（１２）との間の前記流体通路（２０）を通る流体の流れが阻止される少なくとも第２の位置との間で前記ハウジング（１０）内に移動可能に配置されており、
前記スプール（４０）は、
弁ハウジング（１０）の前記第１のハウジング部（ＶＥ１）と係合して第１の係合領域（ＲＥ１）を形成するよう適合された第１の部分（Ｓ１）と、
前記弁ハウジング（１０）の前記第２のハウジング部（ＶＥ２）と係合して第２の係合領域（ＲＥ２）を形成するよう適合された第２の部分（Ｓ２）と、を備え、
ここにおいて、前記第１の係合領域（ＲＥ１）は第１の位置に配置され、前記第２の係合領域（ＲＥ２）は第２の位置に配置され、
ここにおいて、前記第１の係合領域（ＲＥ１）と前記第２の係合領域（ＲＥ２）が物理的に分離されているショックアブソーバ用の逆止弁組立体（１，１´）。
【請求項２】
第１および第２の側面を含む分離手段をさらに有し、前記第１の係合領域（ＲＥ１）が前記第１の側面に配置され、前記第２の係合領域（ＲＥ２）が前記第２の側面に配置されている、請求項１に記載の逆止弁組立体（１，１´）。
【請求項３】
前記第２の係合領域（ＲＥ２）が前記流体通路（２０）の調整可能な流体開口部を形成する係合領域である、請求項１または２に記載の逆止弁組立体（１，１´）。
【請求項４】
前記第１の係合領域（ＲＥ１）が前記スプール（４０）の位置を制御するように適合された係合を形成する係合領域である、請求項１〜３のいずれか１項に記載の逆止弁組立体（１，１´）。
【請求項５】
前記スプール（４０）の前記第１の部分（Ｓ１）は、第１の側面（Ｓ１ａ）と第２の側面（Ｓ１ｂ）とを備え、ここにおいて、前記第１の側面（Ｓ１ａ）は圧力Ｐ１にさらされ、第２の側面（Ｓ１ｂ）は圧力Ｐ２にさらされる、請求項１〜４のいずれか１項に記載の逆止弁組立体（１，１´）。
【請求項６】
前記スプール（４０）の前記第１の部分（Ｓ１）の第１および第２の側面（Ｓ１ａ、Ｓ１ｂ）の少なくとも一方が、前記弁ハウジング（１０）の対応する表面に係合するよう適合された、請求項１〜５のいずれか１項に記載の逆止弁組立体（１，１´）。
【請求項７】
前記第１および第２の側面（Ｓ１ａ、Ｓ１ｂ）の少なくとも一方は、前記第１および第２の側面（Ｓ１ａ、Ｓ１ｂ）の前記少なくとも一方の領域の第１のハウジング部に沿った対応する表面に係合するように適合される、請求項１〜６のいずれか１項に記載の逆止弁組立体（１，１´）。
【請求項８】
前記スプール（４０）の前記第２の部分（Ｓ２）は、重なり係合によって前記ハウジングの第２の部分の第１の表面と係合するように適合された第１の表面を含む、請求項１〜７のいずれか１項に記載の逆止弁組立体（１，１´）。
【請求項９】
前記第２の部分（Ｓ２）は、第２の弁ハウジング部の第１の表面と重なり係合によって係合するように適合された第１の表面を備え、可変の重なりが係合面間に形成される接触領域に沿って達成される、請求項８に記載の逆止弁組立体（１，１´）。
【請求項１０】
前記スプール（４０）が前記第２の位置に位置決めされたときに前記スプール（４０）の前記第２の部分（Ｓ２）の前記第１の表面が前記第２の弁ハウジング部（ＶＥ２）の前記第１の表面と重なり、前記流体通路（２０）を通る流体の流れが阻止される、請求項８または９に記載の逆止弁組立体（１，１´）。
【請求項１１】
前記スプールを方向（Ｄ）に付勢するばね（５０）をさらに備え、ここにおいて、前記方向（Ｄ）は、前記流体通路（２０）の開口が閉鎖されるような方向である、請求項１〜１０のいずれか１項に記載の逆止弁組立体（１，１´）。
【請求項１２】
作動流体を受けるように適合された作動シリンダ（Ｃ）と、前記シリンダ（Ｃ）を第１の作動チャンバ（ＷＣ１）および第２の作動チャンバ（ＷＣ２）に分割するピストンと、請求項１〜１１のいずれか１項に記載の逆止弁組立体（１，１´）と、を備えたショックアブソーバ（１００）。
【請求項１３】
リザーバ（Ｒ）をさらに備え、ここにおいて、前記第１の容積部（１１）が前記リザーバ（Ｒ）に流体接続され、前記第２の容積部（１２）が前記第１の作動チャンバ（ＷＣ１）および第２の作動チャンバ（ＷＣ２）の少なくとも一方に流体接続されている、請求項１２に記載のショックアブソーバ（１００）。
【請求項１４】
請求項１〜１１のいずれか１項に記載の逆止弁組立体（１，１´）を備えたフロントフォーク。
【発明の詳細な説明】
【技術分野】
【０００１】
本明細書は、一般に、車両用ショックアブソーバの弁の分野に関し、特に、逆止弁組立体、ショックアブソーバ、およびこのような組立体を含むフロントフォークを開示する。
【背景技術】
【０００２】
ショックアブソーバおよび減衰システムは、自動車、オートバイまたは自転車のような車両の車台と車輪との間の相対運動の減衰のために使用される。従来のショックアブソーバは、通常、油圧オイルやガス等の減衰流体が充填された作動シリンダと、シリンダ内に移動可能に配置されたピストンロッド上に配置されたピストンとを備えている。ピストンはさらに、通例、シリンダを第１および第２の作動チャンバに分割するように配置され、流体の抵抗に抗してシリンダ内を移動し、そして減衰流体を減衰シリンダ内で動かす。車両の車台と車輪との間にダンパを配置して、車両が移動するにつれて伸縮自在に移動するようにしてもよい。このようにして、ピストンが流体の抵抗に抗してシリンダ内で移動することにより車輪と車両の動きが減衰される。オートバイ、自転車またはマウンテンバイクの特定のケースでは、ダンパをフロントフォーク装置に、および／またはドライバーとオートバイまたは自転車の後部との間に配置することができ、いずれの場合も、運転者に対する衝撃および振動を減衰させる。
【０００３】
さらに、ショックアブソーバは、ダンパを通過する流体の流れに起因する減衰力を制御するための手段を含むことができる。このような手段は、異なるタイプの弁構成を含むことができる。ショックアブソーバに使用される弁の１つの一般的なタイプは、逆止弁、すなわち一方向の流体の流れを可能にする弁である。
【０００４】
当業界で一般的に使用されている１つの公知のタイプの逆止弁は、いわゆるポペット弁であり、流体の流れを可能にするために弁本体がシートから持ち上がる。他の例には、シム、すなわち一方向の流れを可能にするために湾曲すなわち屈曲するように設計された、流体ポートの前に配置された薄いディスクを備えた逆止弁が含まれる。シムを含むポペット弁および弁はともに、典型的には、ばね作用によって閉じられた状態に保持される。
【０００５】
しかしながら、ショックアブソーバ内に存在する流体の、ときには高い流量を可能にするために、これらのタイプの弁には比較的高いリフティング高さが要求されることがある。これらのタイプの弁における、より大きなリフティング高さに関連する既知の問題には、シムまたはポペットが、弁座から比較的離れた位置にあるとき、この位置（すなわち、弁の開放段）に拘束されるということがあり、これは、そのような位置では、流体の圧力により生じる力が、シムまたはポペットを閉鎖位置すなわち弁の閉鎖段に戻すには低すぎる可能性があるという事実による。従って、逆止弁は逆止弁としての機能を失うことがある。
【０００６】
さらに、上述した弁のタイプについては、可動部分が弁の固定部分に張り付くことに関連する問題が知られている。可動部のこのような挙動により、ショックアブソーバ内で望ましくない圧力スパイクが発生することがある。
【０００７】
ＵＳ４５０４０８１Ａは、従来技術の逆止弁を開示し、ＡＵ２００５２２５１４５Ａ１は、従来技術の圧力制御された弁システムを開示する。
【発明の概要】
【０００８】
したがって、ショックアブソーバのための改良された逆止弁を提供することが望ましい。特に、より安定した挙動を示す逆止弁を提供すること、すなわち、周波数および流れの変動に対する感度の低下を提供することが望ましい。これらの問題の１つまたはそれ以上についてより好適に対処するために、独立請求項に定義される逆止弁組立体、ショックアブソーバおよびフロントフォークが提供される。好ましい実施形態は、従属請求項に定義されている。
【０００９】
本発明の第１の態様によれば、ショックアブソーバのための逆止弁組立体が提供される。逆止弁組立体はハウジングを備え、ハウジングは圧力Ｐ１が存在する第１の容積部と、圧力Ｐ２が存在する第２の容積部と、第１のハウジング部ＶＥ１と、第２のハウジング部ＶＥ２と、第１の容積部と第２の容積部との間の流体通路と、を備えている。組立体は、スプールをさらに備える。スプールは、さらに、ハウジングにおいて、第１の容積部と第２の容積部との間の流体通路を通る流体の流れが許容される少なくとも第１の位置と、第１の容積部と第２の容積部との間の流体通路を通る流体の流れが阻止される少なくとも第２の位置との間で移動可能に配置される。スプール４０は、弁ハウジングの第１の部分と係合するように適合されて、第１の係合領域を形成する第１の部分Ｓ１と、弁ハウジングの第２の部分と係合するように適合されて、第２の係合領域を形成する第２の部分とを含む。第１の係合領域は第１の位置に配置され、第２の領域は第２の位置に配置される。
【００１０】
第１の態様の一実施形態では、第１の係合領域において存在する流体の流れの第１の局所状態が、第２の係合領域において存在する流体の流れの第２の局所状態から実質的に独立するように、第１の係合領域が第１の位置に配置され、第２の領域が第２の位置に配置される。
【００１１】
第１の態様によれば、逆止弁組立体は、スプールと弁ハウジングとの間に第１および第２の係合領域を組み込み、第１の係合領域は第１の位置に配置され、第２の領域は第２の位置に配置される設計によって所望の特性を提供することができるという認識から導き出された上記問題に対する発明の解決策を提供するものである。これにより、すなわち、複数の領域で弁ハウジングに係合するスプールを含む逆止弁を設計することによって、逆止弁の異なる位置または部分で、弁の異なる機能を実行することができる。したがって、逆止弁組立体、すなわちスプールおよび弁ハウジングのそれぞれの部分は、特定の機能を提供するように設計することができ、弁を設計する際にあまり望ましくない妥協点の必要性を低減するとともに、弁組立体の汎用性および適合性を例えば異なる用途の特定のニーズに合わせることができる。これは、例えば、周波数および流れの変動に対する感度が低減され得る点で有利である。したがって、本発明の利点には、弁組立体がより安定した信頼性のある挙動を示すことが含まれる。
【００１２】
開示された逆止弁組立体は、自動車、オートバイ、全地形車両、およびマウンテンバイクなどの自転車のショックアブソーバを含む車両用のあらゆるタイプのショックアブソーバへの使用に適している。より詳細には、逆止弁組立体は、高圧側から低圧側への補充が行われ得るショックアブソーバなどの油圧ショックアブソーバに、特に適している。後者のタイプのショックアブソーバの使用中、作動チャンバは、追加のリザーバ、すなわち減衰流体の加圧のために利用され得るリザーバ容積部に接続されるとともに、ピストンロッドの移動に起因する流体の変位に対する補償を提供する。逆止弁組立体は、例えば、ショックアブソーバの作動チャンバとリザーバとの間の流体の流れを制御するように配置されてもよい。
【００１３】
さらに、逆止弁組立体は、圧力Ｐ１およびＰ２がそれぞれ存在する第１の容積部および第２の容積部からの流れを制御するように適合される。したがって、一部の実施形態では、逆止弁組立体は、第１および第２の容積部の間の圧力差を除去するように、すなわち、第１および第２の容積部の間の圧力を等しくするように適合され得る。
【００１４】
第１の係合領域が第１の位置に配置され、第２の領域が第２の位置に配置される設計により、弁の多くのタイプの特性に関する設計が自由になる。そのような特性には、弁を通る流体の流れの取り扱いおよび制御に関連する特性ならびに例えば圧力および流れの変化に対する感受性に関する弁の一般的な挙動に関連する特性が含まれるが、これらに限定されない。したがって、この設計は、例えば、弁が問題の特性に関して局所的に最適化され、これにより設計上の制約の量が低減される設計を可能にする可能性を提供する。一部の実施形態では、２つより多い係合領域が逆止弁組立体内に存在してもよい。
【００１５】
逆止弁組立体は、ショックアブソーバの設計を可能な限り効率的にするために選択されたショックアブソーバ上の位置に配置されるよう適合されるのが有利であり、同時に例えば１つ以上の作動チャンバおよび／または追加のリザーバの間で流体の十分な流れを実現する。用途に応じて、逆止弁組立体は、そのようなショックアブソーバの作動チャンバの１つに隣接する位置、シリンダの外部の位置、および／またはシリンダから離れた位置に配置されるように適合されてもよい。一部の実施形態では、逆止弁組立体は、追加の逆止弁を備えることができ、例えば、逆止弁組立体は、複数のスプールを備えることができる。一部の実施形態では、組立体は、用途に応じてダンパの異なる機能を実行するように適合された異なるタイプの弁を備えることができる。このように、逆止弁組立体は、異なるタイプのショックアブソーバに容易に適合させることができる。
【００１６】
第１の係合領域は、一部の実施形態では、第１および第２の容積部を分離する仕切り、すなわち、第１および第２の容積部の間の仕切りを形成することができる。一部の実施形態では、第１の係合領域は、第１および第２の容積部を永続的に分離する仕切りを形成する。したがって、スプールは、第１および第２の容積部の間に永続的な分離を提供するように適合された第１の係合領域を備えると同時に、第１の容積部と第２の容積部との間の流体通路を通る流体の流れが許容される位置を含むハウジング内に移動可能に配置される。これは、流体乱流および同様の他のタイプの干渉のような流体通路で生じることが知られている局所的現象から分離された、スプールと弁ハウジングとの間に係合領域が設けられている点で特に有利である。一実施形態によれば、第１の係合領域は、第１および第２の容積部を少なくとも部分的に分離する仕切りを形成する。
【００１７】
一実施形態によれば、第１の係合領域は、実質的に流体密の封止材を含む。したがって、第１の係合領域は、第１の容積部と第２の容積部との間に実質的に流体密の封止材を提供する。一部の実施形態では、流体密の封止材は、第１および第２の容積部を分離する仕切りの一部を形成する。実質的に流体密とは、少なくとも弁の挙動に影響を及ぼすのに十分な流体の流れ、すなわち当業者が弁内の流体の有意な流れとして認識するであろう１つの流体の流れを阻止する封止材であると理解されるべきである。実際的事例において、一部の実施形態では、第１の係合領域に微小な流れ（すなわち、漏れ）が存在することがある。したがって、第１の係合領域は、このような流体密の封止材を提供するための適切な係合を含むことができ、例えば、重なり合う係合または他の適切な構造設計を含む。一部の実施形態では、係合は、密封係合を提供するために、例えばガスケットなどの追加の密封手段を含むことができる。スプールの可動構成のために、適切な係合の一例は、第１のハウジング部とスプールの第１の部分との間の摺動係合である。
【００１８】
一実施形態によれば、第２の係合領域ＲＥ２は、流体通路の調節可能な流体開口部を形成する係合領域である。例として、第１のハウジング部とスプールの第１の部分との間に形成される任意のタイプの係合、例えば摺動係合および／または重なり係合があり、それにより、開口のサイズは相対的な摺動距離および／または重なりの程度により決定される。調節可能な流体開口部は、第１の容積部から第２の容積部への調整可能な流体の流れを可能にし、一部の実施形態では流体開口部、したがって流体の流れを連続的に調整することができる。他の実施形態では、流体開口部、したがって流体の流れは、段階的に、すなわち所定の段階によって調整されてもよい。したがって、一実施形態によれば、第２の係合領域は、流体通路の調整可能な流体開口部のサイズを制御するように適合された、第１のスプール部分と第１のハウジング部との間の係合を含む。
【００１９】
一実施形態によれば、第１の係合領域ＲＥ１は、スプールの位置を制御するように適合された係合を形成する係合領域である。スプールは、流体の流れが流体通路を通ることができる第１の位置と、流体の流れが防止される第２の位置との間で移動可能に配置される。一実施形態によれば、第１の係合領域は、スプールに影響を及ぼすように、および／またはスプールへのそのような動きを誘発するように、すなわち、たとえば、スプールを第１および／または第２の位置に押し込むように適合された手段を備える。そのような手段の例としては、第１および第２の容積部に存在する第１および／または第２の圧力によって誘発される力のような、内部および／または外部の力にさらされる表面が挙げられる。
【００２０】
一部の実施形態では、第１の係合領域ＲＥ１および第２の係合領域ＲＥ２は、物理的に分離されていてもよい。さらに、一部の実施形態では、逆止弁組立体は、第１および第２の側面を含む分離手段を備え、第１の係合領域ＲＥ１が第１の側面に配置され、第２の係合領域ＲＥ２が第２の側面に配置される。そのような分離手段の例には、障壁、隔壁または分離壁などが含まれる。
【００２１】
第１の係合領域ＲＥ１が第１の位置に配置され、第２の係合領域ＲＥ２が第２の位置に配置されることの１つの特に有利な効果は、第１の係合領域ＲＥ１がスプール４０の位置を制御するように適合されている逆止弁組立体の実施形態に関連して、位置を制御するように適合された、したがって、多くの場合、弁の一般的な挙動を制御するように適合されたエリアすなわち領域が、調節可能な流体チャネル開口のような他の係合エリアすなわち相互作用領域から隔離され得ることである。したがって、スプールの位置を制御する第１の係合領域ＲＥ１において、例えば流体通路開口部のような流体が流れる領域における乱流および局所的な圧力変動に関連するあらゆる外乱を回避することができる。これにより、逆止弁の安定した予測可能な挙動が達成され得る。そのような効果は、第１および第２の係合領域ＲＥ１、ＲＥ２が物理的に分離されている、および／または組立体が分離手段を含む上述の実施形態においてさらに強化され得る。
【００２２】
一実施形態によれば、前記スプールの第１の部分Ｓ１は、第１の側面Ｓ１ａおよび第２の側面Ｓ１ｂを備え、第１の側面Ｓ１ａは圧力Ｐ１にさらされ、第２の側面Ｓ１ｂは圧力Ｐ２にさらされる。したがって、スプールの第１の部分で圧力Ｐ１とＰ２との間の圧力差が定められてもよい。したがって、一部の実施形態では、スプールは、第１の係合領域で第１の容積部と第２の容積部との間に障壁すなわち隔壁を形成するものとして説明することができる。
【００２３】
一実施形態によれば、第１の側面は圧力Ｐ１にさらされ、第２の側面は圧力Ｐ１にさらされ、圧力Ｐ１とＰ２との間の圧力差がハウジングに対するスプールの位置を調整する。例えば、圧力Ｐ２の増加によりスプールが第１方向に移動し、圧力Ｐ１の増加によりスプールが第２方向に移動するようにスプールを配置することができる。第２の方向は、第１の方向とは反対の方向であってもよい。このような実施形態では、流体通路の調節可能な開口部のサイズは、スプールの第１の部分Ｓ１上の圧力Ｐ１およびＰ２に起因する力のバランスによって決定され得る。
【００２４】
一実施形態では、スプールの第１の部分の第１および第２の側面Ｓ１ａ、Ｓ１ｂの少なくとも一方は、可能であれば選択的に、弁ハウジングの対応する表面に係合するようになっている。そのような対応する表面の一例は、第１および第２の側面Ｓ１ａ、Ｓ１ｂの少なくとも一方と実質的に平行に延びる表面である。一実施形態では、第１および第２の側面Ｓ１ａ、Ｓ１ｂの少なくとも一方は、前記第１および第２の側面Ｓ１ａ、Ｓ１ｂの少なくとも一方の法線方向に沿った移動によって前記弁ハウジングの対応する表面と係合するようになっている。
【００２５】
一実施形態では、第１および第２の側面Ｓ１ａ、Ｓ１ｂの少なくとも一方が対応する面から持ち上げられるように、第１および第２の側面Ｓ１ａ、Ｓ１ｂの少なくとも一方が前記弁ハウジングの対応する表面と係合するようになっている。一実施形態では、スプールが第２の位置から第１の位置に移動するとき、すなわちスプールが移動して流体の流れを許容するときに、第１および第２の側面Ｓ１ａ、Ｓ１ｂの少なくとも一方が弁ハウジングの対応する面から持ち上げられる。
【００２６】
したがって、一部の実施形態では、スプールの移動は、スプールの第１の部分Ｓ１の圧力差によって調整されるものとして説明することができ、圧力Ｐ１がスプールの第１の部分Ｓ１の第１の側面に作用し、圧力Ｐ２が第２の側面に作用し、スプールは、たとえば、圧力Ｐ１が圧力Ｐ２よりも大きくなるにつれて、弁ハウジングの対応する表面から離れるように移動し、圧力Ｐ２が圧力Ｐ１よりも大きくなると、対応する表面に向かって移動することができる。このような移動は、スプールの第１のハウジング部の第１および第２の側面の法線方向に実質的に平行な方向に沿った移動であってもよい。
【００２７】
一実施形態によれば、第１および第２の側面Ｓ１ａ、Ｓ１ｂの少なくとも一方は、第１および第２の側面Ｓ１ａ、Ｓ１ｂの少なくとも一方のエリアの第１の部分に沿って対応する表面と係合するようになっている。
【００２８】
一実施形態では、第１および第２の側面Ｓ１ａ、Ｓ１ｂの少なくとも一方のエリアの第１の部分に沿って弁ハウジングの対応する表面に係合できるように、第１および第２の側面Ｓ１ａ、Ｓ１ｂの少なくとも一方は凹部すなわち切り欠き部を含み、一方で、対応する表面と第１のＳ１ａと第２のＳ１ｂの少なくとも一方との間に間隙が存在し、この間隙は凹部すなわち切り欠き部によって画定される。このような間隙は、例えば、対応する表面と第１および第２の側面Ｓ１ａ、Ｓ１ｂの少なくとも一方の残りの部分との間に存在してもよい。
【００２９】
したがって、スプール４０は、前記の例のように、圧力Ｐ１が圧力Ｐ２よりも大きくなるにつれて、弁ハウジングの対応する表面から離れるように移動し、圧力Ｐ２が圧力Ｐ１よりも大きくなると、対応する表面に向かって移動する場合、上記の凹部または切り欠き部は、（圧力Ｐ１が作用する）上記の第１の表面上に配置されてもよい。これにより、凹部または切り欠き部は、スプールが第２の位置に配置されたときにも、第１の表面に圧力Ｐ１を作用させることができる。したがって、スプールが第１の位置に戻る移動による弁の開放は、スプールが、流体通路を通る流体の流れが阻止される位置に対応する第２の位置に配置されているときにも、圧力Ｐ１が第１の表面に作用するアクセスを可能にする凹部によって容易になる。
【００３０】
一実施形態では、第１および第２の側面Ｓ１ａ、Ｓ１ｂの少なくとも一方のエリアの第１の部分に沿って弁ハウジングの対応する表面に係合できるように、弁ハウジングの対応する表面は凹部すなわち切り欠き部を含み、一方で、対応する表面と第１の側面Ｓ１ａと第２の側面Ｓ１ｂの少なくとも一方との間に間隙が存在してもよく、この間隙は凹部すなわち切り欠きによって画定される。
【００３１】
当業者であれば、第１および第２の側面Ｓ１ａ、Ｓ１ｂの少なくとも一方、および／または第１および第２の側面Ｓ１ａ、Ｓ１ｂの少なくとも一方の一部分を形成する突出構造を含む弁ハウジングの対応する表面、および／または弁ハウジングの対応する表面によって同等の効果が達成されうることを理解する。
【００３２】
一部の実施形態では、スプールの第１の部分の第１および第２の側面に作用するように配置された第１および第２のばねによって同様の効果を達成することができ、第１のばねと第２のばねとの間の平衡状態において、スプールは、前記第１および前記第２の側面の少なくとも一方と前記弁ハウジングの対応する表面との間に空間すなわち隙間が存在する位置に配置され、スプールが、流体通路を通って流体の流れが実質的に阻止される第２の位置に配置されたときにも、圧力Ｐ１が第１および第２の側面の少なくとも一方に作用するようにすることができる。
【００３３】
スプールの設計は、例えば高レベルの加速で、スプールの質量を制御することができる力を発生させるために好ましくは十分に大きく選択され得る圧力Ｐ１およびＰ２が作用するエリアのサイズに関して異なるニーズに適合させることができる。これは、ショックアブソーバの逆止弁による処理を要することが多い大きな流体の流れに関して特に有利であり得る。十分に大きな面積、ひいては十分大きな力が、大きな流れを効率的な方法で取り扱うことを可能にするからである。これは、ポペット弁やシム状弁のような当業界で知られている弁とは対照的である。これらの弁においては、大きな流れが大きな揚程高さを必要とするときに失われる、弁に対する圧力差の影響に関する問題があり、弁は高周波運動を管理するために高い必要があるばね力のみによって制御される。したがって、このような弁は、弁の圧力降下が弁を通る流れの量に強く依存するというあまり望ましくない挙動を示す傾向がある。さらに、流れが急速にシフトする間、従来の逆止弁は、そのような状態の間に圧力差によって発生する力が小さすぎるために弁座から離れた位置にあるときに開いたままであることが知られている。本明細書の逆止弁の力は、スプールの位置に関係なく一定のままである。
【００３４】
一実施形態によれば、圧力Ｐ１およびＰ２にさらされる表面の形状およびサイズを含めて、スプールは、圧力Ｐ１およびＰ２に結果として生じる力が、スプールが大きくなるにつれてスプールの質量よりも増加し得るように設計される。
【００３５】
一実施形態によれば、スプールは、内側および外側として説明することができる第１および第２の側面を含む形状を有し、第１の側面は圧力Ｐ１にさらされ、第２の側面は圧力Ｐ２にさらされる。一実施形態によれば、スプールは、内側および外側として説明することができる第１および第２の側面を含む中空形状を有し、第１の側面は圧力Ｐ１に曝され、第２の側面は圧力Ｐ２にさらされる。一実施形態によれば、スプールは、中空シリンダの形状を有する。
【００３６】
一実施形態によれば、スプールの第１の部分はフランジを備え、フランジは第１および第２の側面ＦＳ１ａ、ＦＳ１ｂを含み、第１の側面は圧力Ｐ１にさらされ、第２の側面は圧力Ｐ２にさらされる。一実施形態では、フランジの第１および第２の側面の少なくとも一方が凹部または切り欠きを含む。
【００３７】
一実施形態によれば、スプールの第２の部分は、重なり係合によって第２のハウジング部の第１の表面と係合するように適合された第１の表面を含む。例えば、スプールの第１の表面は、重なりが達成されるように、弁ハウジングの第１の表面の対応する部分に沿って摺動するように配置されてもよい。
【００３８】
一実施形態によれば、スプールが第２の位置に配置されているときに、スプールの第２の部分の第１の表面が第２の弁ハウジング部の第１の表面と重なり合うように係合し、流体通路を通る流体の流れが阻止される。一部の実施形態では、重なりは、弁ハウジングの第２の部分の第１の表面とスプールとの間の摺動係合によって達成される。一部の実施形態では、スプールの第２の部分の第１の表面と第２の弁ハウジング部の第１の表面との係合が外れると、流体の流れが許容される。このような係合は、例えば、重なり係合によって適切な封止が容易になるという利点がある。さらに、開放中の接着に関連して弁を開くために弁本体の持ち上げ動作を利用するという弁の既知の問題は、著しく低減され得る。そのような接着すなわち固着は、圧力の急上昇に関連する。閉鎖中に流体を押し出す必要がある既知の弁とは対照的に、弁の閉鎖時に流体の一種の切断すなわちせん断をもたらす重なり係合によって、弁の閉鎖を容易にすることもできる。
【００３９】
一実施形態では、スプールが第２の位置に配置されているときの重なりの長さまたはサイズは、０〜２ｍｍの範囲にあり、場合によっては０．２〜１．５ｍｍの範囲にある。長さすなわちサイズは、最大の達成可能な重なりと理解することができる。
【００４０】
一実施形態によれば、スプールの第２の部分は、第２の弁ハウジング部の第１の表面と重なり係合によって係合するように適合された第１の表面を含むことができ、係合表面の間に形成された接触領域に沿って可変の重なりを達成することができる。１つの例示的な実施形態では、スプールが第２の位置に配置されたときに、可変の重なりが達成され得る。
【００４１】
一実施形態では、可変の重なりは、規定された部分を含むスプールの第１の表面によって達成され、その結果、比較的狭い重なりが、規定された部分における接触領域に沿って達成される。言い換えれば、接触領域の残りの部分を覆う重なりと比較して、前記規定された部分に沿った接触領域の短い部分にわたる重なりは、非常に短く、すなわち小さく構成されてもよい。
【００４２】
一実施形態では、スプールの第１の表面に、またはスプールの第１の表面内に配置された凹部、切り込み部、切欠き部などによってこの部分を実現することができる。一実施形態では、凹部、切り込み部、切り欠き部などは、スプールの第１の端部の円周に配置されてもよい。
【００４３】
一実施形態では、スプールが第２の位置に配置されているときの前記規定された部分における比較的小さい重なりの長さ、すなわちサイズは、０〜０．２ｍｍの範囲にある。
【００４４】
このような実施形態は、スプールの第２の部分の第１の表面が、第２の弁ハウジング部の第１の表面との係合から完全に外れる前、すなわち弁が開く前に、流体の小さな流れが、より小さな重なりを含む接触領域に沿った１つまたは複数の領域により許容されうるという利点がある。これにより、弁のより柔らかい開放挙動が達成され得る。さらに、ヒステリシス効果を低減することができる。
【００４５】
したがって、たとえばスプールが第２の位置に配置されたときに、スプールの第１の表面と第２の弁ハウジング部の第１の表面との間の重なりが、重なりの全面積、すなわち接触領域の大部分を占めるよう十分に広くなるよう、スプールおよび／または弁ハウジングを設計することができ、適切なレベルの密封が達成されると同時に、重なりがほとんどない小さな領域を可能にする。この面積の小さい、すなわち短い重なりは、弁の挙動を誘発しないように十分に小さくすることができ、これは漏れ挙動として特徴付けられ、弁の開閉挙動に依然として驚くほど大きな影響を及ぼす。
【００４６】
一実施形態によれば、圧力Ｐ１は、スプールを第１の位置に押す方向に作用する圧力であり、圧力Ｐ２は、スプールを第２の位置に押す方向に作用する圧力である。したがって、圧力Ｐ１は、第１の容積部と第２の容積部との間の流体通路が開放される、すなわち弁を開くように作用する圧力であってもよく、圧力Ｐ２は、弁を閉じる圧力であってもよい。一実施形態によれば、スプール４０の位置は、Ｐ１とＰ２との間の圧力差のみに基づいて制御される。この位置は、弁１のハウジング１０に対する位置として説明することができる。
【００４７】
一実施形態によれば、逆止弁組立体１は、スプール４０を方向Ｄに付勢するように配置されたばね５０をさらに備える。このようなばね５０は、例えば、小さい圧力変動に起因して、スプール４０が影響されて例えば移動するのを防ぐばね５０の付勢力により、スプール４０のより安定した挙動が得られる点で有利である。更なる利点は、このようなばね５０を利用してスプール４０を所望の初期位置に位置決めすることができることである。ばね５０の剛性は、用途に応じて選択することができる。
【００４８】
一実施形態によれば、方向Ｄは、流体通路２０の開口を閉じておく方向である。したがって、そのような実施形態では、ばねバイアスは、開口バイアス、すなわち閾値を定めるものとして説明することができ、一部の実施形態では、閾値は、スプール４０が流体の流れが許容される位置、すなわち逆止弁組立体１の開放段階に移動する前に、圧力Ｐ１を超えていなければならないことがある。さらに、このような構成が一部の実施形態で利点となるのは、ばね５０が、第１の容積部１１と第２の容積部１２との間の実際の圧力差がゼロに等しくなる前に、スプール４０を第２の位置、すなわち弁組立体１の閉鎖段階に押し込むことができる点である。
【００４９】
一実施形態によれば、第２の係合領域ＲＥ２は、第１の係合領域ＲＥ１に対して流体通路２０の上流の位置に配置された係合領域である。一部の実施形態では、第２の係合領域ＲＥ２は、第１の係合領域ＲＥ１の下流に配置されてもよい。
【００５０】
本発明の第２の態様によれば、作動流体を受け入れるよう適合された作動シリンダＣ、上記シリンダＣを第１の作動チャンバＷＣ１および第２の作動チャンバＷＣ２に分割するピストンＰ、および上記の実施形態のいずれかによる逆止弁組立体１，１´を含むショックアブソーバ１００が提供される。
【００５１】
一実施形態によれば、そのようなショックアブソーバ１００の逆止弁組立体１，１´は、作動流体の流れ、すなわちショックアブソーバ１００内の緩衝媒体の流れを制御するように適合されてもよい。一実施形態では、減衰媒体流は、２つの作動チャンバＷＣ１、ＷＣ２の間を流れるように適合された減衰媒体流であってもよい。緩衝媒体流は、流れがピストンＰおよび／またはピストンロッド内の流れダクト（図示せず）を通って導かれるように配置されてもよい。しかしながら、一部の実施形態では、緩衝媒体の流れは、上述したものによる逆止弁組立体１，１´が配置されたダクトを通って流れるように配置されてもよい。
【００５２】
一実施形態によれば、逆止弁組立体１，１´は、シリンダＣの外側に配置することができる。これにより、逆止弁組立体１，１´への容易なアクセスが可能になるとともに、例えばシリンダＣの直径をより小さく保つことができるショックアブソーバ１００のコンパクトなレイアウトが可能になる。一実施形態では、逆止弁組立体１，１´は、ショックアブソーバ１００の上端に、すなわちピストンロッドの反対側の端部に配置されてもよい。
【００５３】
一実施形態によれば、ショックアブソーバ１００は、追加のリザーバＲをさらに備え、Ｐ１はリザーバＲの圧力であってもよく、Ｐ２は作動チャンバＷＣ１、ＷＣ２のうちの１つの圧力であってもよい。したがって、一部の実施形態では、減衰媒体流は、第１の作動チャンバＷＣ１および第２の作動チャンバＷＣ２の少なくとも一方と追加のリザーバＲとの間を流れるように適合された減衰媒体流であり得る。追加のリザーバＲは、減衰流体の加圧とともに、ピストンロッドの移動に起因する流体の変位を補償する点において利点がある。このようなリザーバＲは、当該技術分野において周知であり、従って、より詳細な説明は省略する。
【００５４】
一実施形態によれば、ショックアブソーバ１００は、リザーバＲをさらに備え、第１の容積部１１がこのリザーバに流体接続され、第２の容積部１２が第１の作動チャンバＷＣ１および第２の作動チャンバＷＣ２の少なくとも一方に流体接続される。
【００５５】
一実施形態によれば、ショックアブソーバ１００は、第１作動チャンバＷＣ１と追加のリザーバＲとの間の流体の第１の流れを制御するように適合された少なくとも第１の逆止弁組立体１と、第２の作動チャンバＷＣ２と追加のリザーバＲとの間の流体の第２の流れを制御するように適合された第２の逆止弁組立体１´を含む。
【００５６】
一実施形態によれば、ショックアブソーバ１００は、第２の逆止弁組立体１´をさらに備え、第１の逆止弁組立体１の第２の容積部に存在する圧力Ｐ２は、第１の作動チャンバＷＣ１の圧力Ｐ２であり、第２の逆止弁組立体１´の第２の容積部に存在する圧力Ｐ２´は、第２の作動チャンバＷＣ２の圧力Ｐ２´である。一部の実施形態では、第１の逆止弁組立体１は、第１の作動チャンバＷＣ１と追加のリザーバＲとの間の流れを制御するように適合されてもよい。第２の逆止弁組立体１´は、第２の作動チャンバＷＣ２と追加のリザーバＲとの間の流れを制御するように適合されてもよい。
【００５７】
本発明の第２の態様の範囲内で考えられるショックアブソーバ１００の目的、利点および特徴は、本発明の第１の態様を参照して上述した考察によって容易に理解される。
【００５８】
本発明の別の態様によれば、上述の実施形態のいずれかによる逆止弁組立体１，１´を備える車両用フロントフォークが提供される。一部の実施形態は、上述の実施形態のいずれかによる逆止弁組立体１，１´を備える自転車またはマウンテンバイク用のフロントフォークに関するものであってもよい。一部の実施形態では、そのようなフロントフォークは、第１および第２の逆止弁組立体１，１´を含んでもよく、第１の逆止弁組立体１は、フロントフォークの第１の端部に配置されてもよく、第２の逆止弁組立体は、フロントフォークの第２の端部に配置されてもよい。再び、本発明のこの態様の範囲内で考えられるフロントフォークの目的、利点および特徴は、本発明の第１および第２の態様を参照して上述した考察によって容易に理解される。
【００５９】
本発明のさらなる目的、特徴および利点は、以下の詳細な開示、図面および添付の特許請求の範囲を検討するときに明らかになる。当業者は、本発明の異なる特徴を組み合わせて、以下に説明する実施形態以外の実施形態を作成できることを理解する。
本発明は、添付の図面を参照して、好ましい実施形態の以下の例示的かつ非限定的な詳細な説明により、よりよく理解される。
【図面の簡単な説明】
【００６０】
【図１ａ】図１ａは、流体通路２０が開放されている段階で示されている逆止弁組立体１の実施形態の概略図である。
【図１ｂ】図１ｂは、流体通路２０が閉鎖されている段階で示されている逆止弁組立体１の実施形態の概略図である。
【図２】図２は、一実施形態による逆止弁組立体１を備えたショックアブソーバを示す。
【図３】図３は、逆止弁組立体１の一実施形態の断面図である。
【発明を実行するための形態】
【００６１】
全ての図は概略図であり、必ずしも縮尺通りではなく、一般に、本発明を説明するために必要な部分のみを示しており、他の部分は省略または、単に示唆されていることがある。図全体にわたって、同じ参照符号は、同じ、または本質的に同じ特徴を示す。
【００６２】
図１ａおよび１ｂは、一実施形態による逆止弁組立体１を示す。逆止弁組立体１は、第１の容積部１１と第２の容積部１２とを含むハウジング１０を備える。第１の容積部１１には圧力Ｐ１が、第２の容積部１２には圧力Ｐ２がそれぞれ存在する。流体通路２０は、第１の容積部１１と第２の容積部１２との間に配置される。ハウジング１０は、第１のハウジング部ＶＥ１および第２のハウジング部ＶＥ２をさらに備える。
逆止弁組立体は、スプール４０をさらに備える。図示の実施形態では、スプール４０は中空の実質的に円筒形の形状を有し、スプール４０の第１の部分４１はスプールの第２の部分４２よりも大きな直径を有する。スプール４０は、さらに、ハウジング１０内で、第１の容積部１１と第２の容積部１２との間の流体通路２０を通る流体の流れが許容される少なくとも第１の位置（図１ａに示す）と、第１の容積部１１と第２の容積部１２との間の流体通路２０を通る流体の流れが阻止される少なくとも第２の位置（図１ｂに示されている）との間で移動可能に配置される。スプール４０とハウジング１０との間の係合は摺動係合であり、表面４５、４６は対応する表面１５、３６に沿って摺動する。
【００６３】
スプール４０は、第１の部分Ｓ１および第２の部分Ｓ２をさらに備える。スプール４０の第１の部分Ｓ１は、弁ハウジング１０の第１の部分と係合するように適合されて、第１の係合領域ＲＥ１を形成し、スプール４０の第２の部分Ｓ２は、弁ハウジング１０の第２の部分ＶＥ２と係合するように適合されて、第２の係合領域ＲＥ２を形成する。
【００６４】
スプール４０の位置を制御するように適合された係合を形成する第１の係合領域ＲＥ１に関して、スプール４０の第１の部分Ｓ１は、弁ハウジング１０と係合するように適合された表面４３を備える。調整可能な流体通路２０の開口を形成する第２の係合領域ＲＥ２に関して、スプール４０の第２の部分Ｓ２は、弁ハウジング１０の表面３６に沿って摺動するように、および／または弁ハウジング１０の表面３７と重なる係合を形成するように適合された表面４６を備える。
【００６５】
ばね５０は、流体通路２０を通る流体の流れが阻止される位置にスプール４０を押す方向にスプール４０を付勢するように構成されている。ばね５０は、スプール４０の第１の部分４１内に実質的に配置され、ハウジング１０の壁に当接している。
【００６６】
次に、逆止弁組立体１の機能を、図１ａおよびｂを参照して説明する。上述したように、第１の容積部１１には圧力Ｐ１が、第２の容積部１２には圧力Ｐ２がそれぞれ存在する。図１ａおよび図１ｂに概略的に示される例示的な実施形態では、第２の容積部１２は、例えばショックアブソーバの作動チャンバＷＣ１に流体的に接続され、第１の容積部１１は、例えば、減衰流体の加圧のために、および／またはピストンロッドの移動による流体の変位の補償を提供するために配置された追加のリザーバＲに流体的に接続される。したがって、圧力Ｐ１はリザーバＲの圧力に対応し得るし、圧力Ｐ２は作動チャンバＷＣ１に存在する圧力に対応し得る。
【００６７】
第１の容積部１１と第２の容積部１２との間に配置された流体通路２０を通る流体の流れは、スプール４０によって制御される。この機能は、スプール４０の機能の分布によって提供される。また、第１の係合領域ＲＥ１が第１の位置に配置され、第２の係合領域ＲＥ２が第２の位置に配置され、その第１の領域ＲＥ１は、第１の容積部１１と第２の容積部１２との間の圧力差に基づいてスプール４０の位置を制御するように適合され、一方で第２の領域ＲＥ２は、第１の容積部１１と第２の容積部１２との間の流体通路２０の開口のサイズを制御するように適合されている上述の設計によって実現されるものである。
【００６８】
スプール４０の位置の制御は、第１の側面Ｓ１ａと第１の側面Ｓ１ｂとを含むスプール４０の第１の部分によって行われ、圧力Ｐ１の間の圧力差がスプールの位置を調整するように、第１の側面Ｓ１ａが圧力Ｐ１にさらされ、第２の側面Ｓ１ｂが圧力Ｐ２にさらされる。図示の場合、側面Ｓ１ａは、上述の表面４３に対応するか、または一致する。
【００６９】
したがって、スプール４０の位置が、スプール４０上、特に第１の側面Ｓ１ａおよび第２の側面Ｓ１ｂを含むフランジ上に力のバランスによって制御されるように、圧力Ｐ１、Ｐ２がそれぞれ側面Ｓ１ａ、Ｓ１ｂに作用する。逆止弁１が図１ｂに示すように閉じられている段階でも、圧力Ｐ１が表面／側面Ｓ１ａに作用することを可能にするために、フランジ、すなわち第１の側面Ｓ１ａは凹部または切り欠き部３８をさらに備える。
【００７０】
他方で開口する流体通路２０の制御は、弁ハウジング１０の表面３６に沿って摺動するよう適合された、および／または図１ｂに詳細に示されている弁ハウジング１０の表面３７と重なる係合を形成するように適合された表面４６を含むスプール４０の第２の部分Ｓ２によって提供される。スプール４０が、流体通路２０を通る流体の流れが阻止されるように配置されると（図１ｂに示されている）、表面４６および３７は重なり合うように、すなわち重なる係合を形成するように適合される。閉じた位置では、この重なりは約０．２〜２ｍｍに等しい。
【００７１】
図１ａは、圧力Ｐ１がＰ２よりも大きいとき、すなわち開位置にあるとき、または流体の流れが第１の容積部１１から第２の容積部１２に許容されるときの弁を示す。しかし、スプール４０を閉鎖位置に押し込むばね５０の付勢力Ｆｓがあるため、スプール４０が開位置に押し込まれるためには、すなわち弁が開くためには、Ｐ１＞（Ｐ２＋Ｆｓ）の関係を満たしていなければならない。図１ｂは、圧力Ｐ２がＰ１よりも大きい場合、すなわち閉鎖位置または第１の容積部１１から第２の容積部１２への流体の流れが防止される位置にある逆止弁組立体１を示す。表面４６および３７は、容積部１１および容積部１２の間に封止を形成するために重なり合う。
【００７２】
したがって、圧力レベルＰ１およびＰ２に依存して、スプール４０は開放位置と閉鎖位置との間を移動し、その結果、容積部１１と１２との間の圧力均等化が行われ得る。
【００７３】
図２は、第２の態様によるショックアブソーバ１００を示す。ショックアブソーバ１００は、本明細書に記載されたいずれかの実施形態による逆止弁組立体１と、ピストンＰによって２つの作動チャンバＷＣ１、ＷＣ２に分割され、作動流体を受け入れるように適合されたシリンダＣとを備える。ショックアブソーバ１００は、減衰流体が加圧され得るように、圧力Ｐ１がかかる追加のリザーバＲをさらに備える。また、作動チャンバＷＣ１、ＷＣ２の少なくとも一方には圧力Ｐ２が存在する。
ショックアブソーバ１００の図示された実施形態は、追加のリザーバＲと第１の作動チャンバＷＣ１との間、およびリザーバＲと第２の作動チャンバＷＣ２との間の流体の流れを制御するように配置された第１および第２の逆止弁組立体１、１´を備える。第１および第２の逆止弁組立体１、１´は、追加のリザーバＲの上のショックアブソーバ１００の上端に配置されている。
【００７４】
図３は、第１および第２の逆止弁１、１´を詳細に示している。図１ａおよび図１ｂの概略図を参照して説明したように、各逆止弁組立体１，１´は、第１の容積部１１および第２の容積部１２を含むハウジング１０を備える。第１の容積部１１には圧力Ｐ１が、第２の容積部１２には圧力Ｐ２がそれぞれ存在する。流体通路２０は、第１の容積部１１と第２の容積部１２との間に配置される。逆止弁１、１´のハウジング１０は、第１のハウジング部ＶＥ１および第２のハウジング部ＶＥ２をさらに含む。
【００７５】
逆止弁組立体１は、スプール４０をさらに備える。図示の実施形態では、スプール４０は、内側フランジおよび外側フランジとして説明することができるものを含む環状形状を備える。スプール４０は、さらに、図１ａおよび１ｂに例示されているように、ハウジング１０内で、第１の容積部１１と第２の容積部１２との間の流体通路２０を通る流体の流れが許容される少なくとも第１の位置と、第１の容積部１１と第２の容積部１２との間の流体通路２０を通る流体の流れが阻止される少なくとも第２の位置との間で移動可能に配置される。スプール４０とハウジング１０との間の係合は摺動係合である。
【００７６】
スプールは、第１の部分および第２の部分をさらに備える。スプール４０の第１の部分は、第１の係合領域／エリアＲＥ１を形成する、弁ハウジング１０の第１の部分と係合するように適合され、スプール４０の第２の部分は、第２の係合領域ＲＥ２を形成する、弁ハウジング１０の第２の部分と係合するように適合されている。
【００７７】
第１の係合エリアＲＥ１に関して、スプール４０の位置を制御するように適合された係合を形成すると、スプール４０の第１の部分は、弁ハウジング１０に係合するように適合された表面を備える。調整可能な流体通路２０の開口を形成する第２の係合エリアＲＥ２に関して、スプール４０の第２の部分は、弁ハウジング１０の対応する表面に沿って摺動するように、および／または弁ハウジング１０の対応する表面と重なり係合を形成するように適合された表面を備える。
【００７８】
ばね５０は、流体通路２０を通る流体の流れが阻止される位置にスプール４０を押す方向にスプール４０を付勢するように配置されている。ばね５０は、第１の容積部１１と第２の容積部１２の間の実際の圧力差がゼロに等しくなる前に、ばね５０がスプール４０を第２の位置、すなわち弁組立体１の閉鎖段階に押し込むことができ、すなわち、ピストンが完全に停止する前に弁１が閉じる。
【００７９】
上述したように、圧力Ｐ１は、リザーバＲに、したがって、図示の場合には第１の容積部１１に存在し、圧力Ｐ２は、シリンダの第１の作動チャンバＷＣ１に、したがって図示の場合には第２の容積部１２に存在する。第１および第２の容積部１１，１２の間に配置された流体通路２０を通る流体の流れは、スプール４０によって制御される。この機能は、スプール４０の機能の分布によって提供される。また、第１の係合領域ＲＥ１が第１の位置に配置され、第２の係合領域ＲＥ２が第２の位置に配置され、その第１の領域ＲＥ１は、容積部１１と容積部１２との間の圧力差に基づいてスプール４０の位置を制御するように適合され、一方で第２の領域ＲＥ２は、第１の容積部１１と第２の容積部１２との間の流体通路２０の開口のサイズを制御するように適合されている上述の設計によって実現されるものである。圧力レベルＰ１およびＰ２に依存して、スプール４０は開放位置と閉鎖位置との間を移動することで、容積部１１と１２との間の圧力均等化が行われ、結果として図示の実施形態では、容積部１２に流体接続された作動チャンバＷＣ１と容積部１１に流体接続された追加のリザーバＲとの間で流体の流れが許容される。
【００８０】
本発明は、図面および前述の説明において詳細に図示および説明されてきたが、そのような図示および説明は、事例的または例示的であって制限的ではないとみなされるべきであり、本発明は開示された実施形態に限定されない。当業者であれば、多くの修正、変形および変更は添付の特許請求の範囲に規定される範囲内でなし得るものであると理解する。
【００８１】
さらに、開示された実施形態に対する変形は、図面、開示、および添付の特許請求の範囲の研究から、請求の範囲に記載の発明を実施する際に当業者によって理解され、達成され得る。特許請求の範囲において、「含む（ｃｏｍｐｒｉｓｉｎｇ）」という単語は他の要素またはステップを排除するものではなく、不定冠詞「ａ」または「ａｎ」は複数を除外しない。特定の手段が相互に異なる従属請求項に列挙されているという単なる事実は、これらの手段の組み合わせが有利に使用できないことを示すものではない。特許請求の範囲の参照符号は、特許請求の範囲を限定するものとして解釈されるべきではない。
【図１ａ】
2019510942.tif 000003
【図１ｂ】
2019510942.tif 000004
【図２】
2019510942.tif 000005
【図３】
2019510942.tif 000006
【国際調査報告】
2019510942.tif 000007
2019510942.tif 000008